(57)【特許請求の範囲】
【請求項１】
第１の記録媒体に記録された映像情報を再生する再生手段と、
上記再生手段により上記第１の記録媒体から再生された上記映像情報を第２の記録媒体に記録する記録手段と、
上記映像情報に対する再生操作を受け付ける再生操作手段と、
上記第１の記録媒体に記録された上記映像情報を１倍速再生する１倍速再生操作を上記再生操作手段により受け付けると、上記第１の記録媒体に記録された上記映像情報を１倍速再生するように上記再生手段を制御すると共に当該再生手段により１倍速再生された当該映像情報を上記第２の記録媒体に記録するように上記記録手段を制御し、上記第１の記録媒体に記録された上記映像情報を１倍速再生以外で再生する変速再生操作を上記再生操作手段により受け付けると、上記第１の記録媒体に記録された上記映像情報を変速再生するように上記再生手段を制御すると共に当該再生手段により変速再生された当該映像情報を上記第２の記録媒体に記録しないように上記記録手段を制御する制御手段と
を具えることを特徴とする情報記録再生装置。
【請求項２】
上記制御手段は、
上記１倍速再生操作を上記再生操作手段により受け付けると、上記第２の記録媒体に対して上記映像情報を記録するための記録制御信号を上記記録手段に送出し、上記変速再生操作を上記再生操作手段により受け付けると、上記第２の記録媒体に対する上記映像情報の記録を禁止するための記録禁止制御信号を上記記録手段に送出し、
上記記録手段は、
上記記録制御信号を上記制御手段から受けている間は、上記再生手段により１倍速再生された上記映像情報を上記第２の記録媒体に記録し、上記記録禁止制御信号を上記制御手段から受けている間は、上記再生手段により変速再生された上記映像情報を上記第２の記録媒体に記録しない
ことを特徴とする請求項１に記載の情報記録再生装置。
【請求項３】
上記第１の記録媒体は、テープ状記録媒体であり、
上記第２の記録媒体は、ディスク状記録媒体である
ことを特徴とする請求項１に記載の情報記録再生装置。
【請求項４】
第１の記録媒体に記録された映像情報に対する再生操作を受け付ける第１のステップと、
受け付けた再生操作が上記第１の記録媒体に記録された上記映像情報を１倍速再生する１倍速再生操作である場合に、上記第１の記録媒体に記録された上記映像情報を１倍速再生するように再生手段を制御すると共に当該再生手段により１倍速再生された当該映像情報を第２の記録媒体に記録するように記録手段を制御し、受け付けた再生操作が上記第１の記録媒体に記録された上記映像情報を１倍速再生以外で再生する変速再生操作である場合に、上記第１の記録媒体に記録された上記映像情報を変速再生するように上記再生手段を制御すると共に当該再生手段により変速再生された当該映像情報を上記第２の記録媒体に記録しないように上記記録手段を制御する第２のステップと
を具えることを特徴とする情報記録再生方法。
【請求項５】
上記第１の記録媒体は、テープ状記録媒体であり、
上記第２の記録媒体は、ディスク状記録媒体である
ことを特徴とする請求項４に記載の情報記録再生方法。
【請求項６】
外部の再生装置により第１の記録媒体から再生された映像情報を第２の記録媒体に記録する記録手段と、
上記第１の記録媒体に記録された上記映像情報を１倍速再生する１倍速再生操作が上記再生装置に対して行われて当該映像情報が１倍速再生された結果として、上記第２の記録媒体に対して上記映像情報を記録するための記録制御信号が、１倍速再生された上記映像情報とともに上記再生装置から送信されると、上記再生装置により１倍速再生された当該映像情報を上記第２の記録媒体に記録するように上記記録手段を制御し、上記第１の記録媒体に記録された上記映像情報を１倍速再生以外で再生する変速再生操作が上記再生装置に対して行われて当該映像情報が変速再生された結果として、上記第２の記録媒体に対する上記映像情報の記録を禁止するための記録禁止制御信号が、変速再生された上記映像情報とともに上記再生装置から送信されると、上記再生装置により変速再生された当該映像情報を上記第２の記録媒体に記録しないように上記記録手段を制御する制御手段と
を具えることを特徴とする情報記録装置。
【請求項７】
上記第１の記録媒体は、テープ状記録媒体であり、
上記第２の記録媒体は、ディスク状記録媒体である
ことを特徴とする請求項６に記載の情報記録装置。
【請求項８】
第１の記録媒体に記録された映像情報を再生する再生手段と、
上記再生手段により上記第１の記録媒体から再生された上記映像情報を第２の記録媒体に記録する記録手段と、
上記再生手段が上記第１の記録媒体から上記映像情報を１倍速再生している場合に、上記第２の記録媒体に対して上記映像情報を記録するための記録制御信号を上記記録手段に送出し、上記再生手段が上記第１の記録媒体から上記映像情報を変速再生している場合に、上記第２の記録媒体に対する上記映像情報の記録を禁止するための記録禁止制御信号を上記記録手段に送出する制御手段と
を具え、
上記記録手段は、
上記記録制御信号を上記制御手段から受けている間は、上記再生手段により１倍速再生された上記映像情報を上記第２の記録媒体に記録し、上記記録禁止制御信号を上記制御手段から受けている間は、上記再生手段により変速再生された上記映像情報を上記第２の記録媒体に記録しない
ことを特徴とする情報記録再生装置。
【請求項９】
上記第１の記録媒体は、テープ状記録媒体であり、
上記第２の記録媒体は、ディスク状記録媒体である
ことを特徴とする請求項８に記載の情報記録再生装置。
【発明の詳細な説明】
【０００１】
【発明の属する技術分野】
本発明は情報記録再生装置及びその方法並びに情報記録装置に関し、例えば映像音声データをハードディスク装置（ＨＤＤ：Hard Disc Driver）を用いてノンリニア編集する情報記録再生装置及びその方法並びに情報記録装置に適用して好適なものである。
【０００２】
【従来の技術】
従来、この種の情報記録再生装置として、ビデオテープレコーダ及びハードディスク装置が一体化して構成されたものがあり、ビデオテープに記録された映像音声データを一旦ハードディスクにダビングした後、必要に応じて当該ハードディスクに記録された映像音声データのうちユーザが所望する映像音声部分を所望の順番で繋ぎ合わせるようにしてノンリニア編集を行うようになされている。
【０００３】
【発明が解決しようとする課題】
ところで、この情報記録再生装置において、ビデオテープに記録されている映像音声データをハードディスクに全て記録するまでには非常に時間がかかり、このようなダビングに要する時間の長さに比例してノンリニア編集に要する時間も長くなるため、実用上十分でないという問題があった。
【０００４】
実際にユーザはビデオテープに記録されている映像音声データのうち、編集時に必要とする映像音声部分のみをハードディスクに記録させれば良いのであるが、編集時に必要とされない映像音声部分までも全てハードディスクに記録させるため、その分だけ編集前の待ち時間が長くなるという問題があった。
【０００５】
本発明は以上の点を考慮してなされたもので、編集効率を格段と向上し得る情報記録再生装置及びその方法並びに情報記録装置を提案しようとするものである。
【０００６】
【課題を解決するための手段】
かかる課題を解決するため本発明において情報記録再生装置は、第１の記録媒体に記録された映像情報を再生する再生手段と、再生手段により第１の記録媒体から再生された映像情報を第２の記録媒体に記録する記録手段と、映像情報に対する再生操作を受け付ける再生操作手段と、第１の記録媒体に記録された映像情報を１倍速再生する１倍速再生操作を再生操作手段により受け付けると、第１の記録媒体に記録された映像情報を１倍速再生するように再生手段を制御すると共に当該再生手段により１倍速再生された当該映像情報を第２の記録媒体に記録するように記録手段を制御し、第１の記録媒体に記録された映像情報を１倍速再生以外で再生する変速再生操作を再生操作手段により受け付けると、第１の記録媒体に記録された映像情報を変速再生するように再生手段を制御すると共に当該再生手段により変速再生された当該映像情報を第２の記録媒体に記録しないように記録手段を制御する制御手段とを設けるようにした。
【０００７】
この結果、この情報記録再生装置では、ユーザに対し、第１の記録媒体に記録されている映像情報を早送り再生や早戻し再生といった変速再生することで記録する部分を探させつつ、記録する部分を見つけたら当該部分を１倍速再生するという簡易な操作を行わせるだけで、映像情報の中で所望の部分のみを繋ぎ合わせて第２の記録媒体に記録することができ、第１の記録媒体に記録されている映像情報を全て第２の記録媒体に記録させてから映像情報の中で所望の部分を繋ぎ合わさせたり、第１の記録媒体に記録されている映像情報の中から記録したい部分を予め探して設定させてからその部分だけを後に第２の記録媒体に記録させたりする場合に比して、編集を容易にすると共に編集時間を短縮することができる。
【０００８】
また本発明において情報記録再生方法は、第１の記録媒体に記録された映像情報に対する再生操作を受け付け、受け付けた再生操作が第１の記録媒体に記録された映像情報を１倍速再生する１倍速再生操作である場合に、第１の記録媒体に記録された映像情報を１倍速再生するように再生手段を制御すると共に当該再生手段により１倍速再生された当該映像情報を第２の記録媒体に記録するように記録手段を制御し、受け付けた再生操作が第１の記録媒体に記録された映像情報を１倍速再生以外で再生する変速再生操作である場合に、第１の記録媒体に記録された映像情報を変速再生するように再生手段を制御すると共に当該再生手段により変速再生された当該映像情報を第２の記録媒体に記録しないように記録手段を制御するようにした。
【０００９】
この結果、この情報記録再生方法では、ユーザに対し、第１の記録媒体に記録されている映像情報を早送り再生や早戻し再生といった変速再生することで記録する部分を探させつつ、記録する部分を見つけたら当該部分を１倍速再生するという簡易な操作を行わせるだけで、映像情報の中で所望の部分のみを繋ぎ合わせて第２の記録媒体に記録することができ、第１の記録媒体に記録されている映像情報を全て第２の記録媒体に記録させてから映像情報の中で所望の部分を繋ぎ合わさせたり、第１の記録媒体に記録されている映像情報の中から記録したい部分を予め探して設定させてからその部分だけを後に第２の記録媒体に記録させたりする場合に比して、編集を容易にすると共に編集時間を短縮することができる。
【００１０】
さらに本発明において情報記録装置は、外部の再生装置により第１の記録媒体から再生された映像情報を第２の記録媒体に記録する記録手段と、第１の記録媒体に記録された映像情報を１倍速再生する１倍速再生操作が再生装置に対して行われて当該映像情報が１倍速再生された結果として、第２の記録媒体に対して映像情報を記録するための記録制御信号が、１倍速再生された映像情報とともに再生装置から送信されると、再生装置により１倍速再生された当該映像情報を第２の記録媒体に記録するように記録手段を制御し、第１の記録媒体に記録された映像情報を１倍速再生以外で再生する変速再生操作が再生装置に対して行われて当該映像情報が変速再生された結果として、第２の記録媒体に対する映像情報の記録を禁止するための記録禁止制御信号が、変速再生された映像情報とともに再生装置から送信されると、再生装置により変速再生された当該映像情報を第２の記録媒体に記録しないように記録手段を制御する制御手段とを設けるようにした。
【００１１】
この結果、この情報記録装置では、ユーザに対し、外部の再生装置において、第１の記録媒体に記録されている映像情報を早送り再生や早戻し再生といった変速再生することで記録する部分を探させつつ、記録する部分を見つけたら当該部分を１倍速再生するという簡易な操作を行わせるだけで、映像情報の中で所望の部分のみを繋ぎ合わせて第２の記録媒体に記録することができ、第１の記録媒体に記録されている映像情報を全て第２の記録媒体に記録させてから映像情報の中で所望の部分を繋ぎ合わさせたり、第１の記録媒体に記録されている映像情報の中から記録したい部分を予め探して設定させてからその部分だけを後に第２の記録媒体に記録させたりする場合に比して、編集を容易にすると共に編集時間を短縮することができる。
【００１２】
【発明の実施の形態】
以下図面について、本発明の一実施の形態について説明する。
【００１３】
（１）第１の実施の形態
（１−１）情報記録再生装置の構成
図１において、１は全体として本発明を適用した情報記録再生装置を示し、筐体内で一体化されたビデオテープレコーダ２及びハードディスク装置３がＳＣＳＩ（Small Computer System Interface ）インタフェース回路４を介して互いに接続され、コントローラ５の制御に応じて、ビデオテープレコーダ２及びハードディスク装置３間で映像音声データの送受信を行い得るようになされている。
【００１４】
このビデオテープレコーダ２では、回転ドラム６にそれぞれアジマス角の異なる２つの磁気ヘッド７Ａ、７Ｂが 180〔°〕対向した位置に搭載されており、これら２つの磁気ヘッド７Ａ、７Ｂによって映像音声データをディジタルビデオ方式でディジタルビデオテープ（以下、これをＤＶテープと呼ぶ）（図示せず）に記録再生し得るようになされている。
【００１５】
このディジタルビデオ方式では、図２（Ａ）に示すように、テープ幅が6.35〔mm〕のＤＶテープ８に対して直径21.7〔mm〕の回転ドラムをＮＴＳＣ（National Television Standards Committee ）方式では9000/1.001〔r.p.m 〕、ＰＡＬ（Phase Alternation by Line ）方式では9000〔r.p.m 〕の回転速度で回転（矢印ａ方向）させながら、所定のデータフォーマットの映像音声データ（以下、これをＤＶデータと呼ぶ）を記録する。
【００１６】
この場合、回転ドラム６に搭載された２つの磁気ヘッド７Ａ、７ＢがＤＶテープ８の走行方向（矢印ｂ方向）に対して所定角度をもって順次交互に走査し、この結果図２（Ｂ）のようにＤＶテープ８の長手方向に沿って順次斜めにトラック９が形成される。
【００１７】
そしてディジタルビデオ方式では、一方の磁気ヘッド７Ａにより形成されるトラック９をオッドトラックＯ1 、Ｏ3 、……とし、他方の磁気ヘッド７Ｂにより形成されるトラック９をイーブントラックＥ2 、Ｅ4 、……としたとき、１フレーム分の映像音声データがＮＴＳＣ方式では５本のオッドトラックＯ1 、Ｏ3 、……と５本のイーブントラックＥ2 、Ｅ4 、……の合計10本のトラックに分割して記録され、ＰＡＬ方式では６本のオッドトラックＯ1 、Ｏ3 、……と６本のイーブントラックＥ2 、Ｅ4 、……の合計12本のトラックに分割して記録される。
【００１８】
またこのディジタルビデオ方式では、各トラック９に記録するデータ全てに24/25 変換が施される。記録するデータを24/25 変換することにより、ＡＴＦ（Automatic Track Finding ）と呼ばれるトラックサーボ方式に用いられるパイロット信号を検出することにより、磁気ヘッド７Ａ、７Ｂのトラッキングをとることができる。この24/25 変換では、24ビット（３バイト）を挿入することにより、記録するデータのデータ列に３つの周波数の低域バイロット成分を重畳している。
【００１９】
この情報記録再生装置１では、筐体（図示せず）に所定位置に操作入力部１０が設けられており、当該操作入力部１０をユーザが入力操作することにより、ビデオテープレコーダ２及びハードディスク装置３に対して種々の制御を行い得るようになされている。また図示しないリモートコマンダを用いた場合でも、ビデオテープレコーダ２及びハードディスク装置３に対して操作入力部１０と同様に種々の制御を行い得るようになされている。
【００２０】
実際上、ビデオテープレコーダ２では、操作入力部１０の操作に応じてディジタルビデオ方式での記録モード、再生モード又は編集モードのいずれかの動作モードを選択できるようになされており、このうち再生モードが選択されると、これに応じたモード選択信号Ｓ１がコントローラ５に与えられる。
【００２１】
このコントローラ５は、モータ制御部１１を介してドラムモータ１２及びキャプスタンモータ１３を制御することにより、回転ドラム６をＮＴＳＣ方式では4500/1.001〔r.p.m 〕、ＰＡＬ方式では4500〔r.p.m 〕の回転速度で回転させる一方、当該回転ドラム６にローディングさせたＤＶテープ８（図２（Ａ））をＮＴＳＣ方式の標準モード時には14.348/1.001〔mm/sec〕の走行速度で走行させ、ＰＡＬ方式の標準モード時には14.348〔mm/sec〕の走行速度で走行させる。
【００２２】
この結果、回転ドラム６が１回転するごとに当該回転ドラム６に搭載された各磁気ヘッド７Ａ、７ＢによってそれぞれＤＶテープ８における２トラック分のＤＶデータＤ１が順次再生され、これがヘッドドライバ１４に与えられる。そしてヘッドドライバ１４は、このときコントローラ５から得られるスイッチングパルスＳ２に基づいて、供給されるＤＶデータＤ１を、磁気ヘッド７Ａ、７ＢがＤＶテープ８を走査するタイミングでディジタルビデオ方式における２トラック分ずつ各磁気ヘッド７Ａ、７Ｂにそれぞれ順次交互に切り換えながらディジタル再生処理部１５内の再生増幅回路１６に送出する。
【００２３】
そしてディジタル再生処理部１５では、コントローラ５の制御のもと、復調回路１７は、再生増幅回路１６を介して得られたＤＶデータＤ１に対して復調処理を実行する。この復調回路１７の出力はエラー訂正回路（ＥＣＣ：Error Correcting Circuit）１８に供給されてエラー検出やエラー訂正され、また必要に応じて補正される。
【００２４】
続いてデコーダ１９は、ＭＰＥＧ方式により圧縮されているディジタルビデオ信号のデコード処理を実行する。デコードされたビデオ信号Ｄ２は、ＮＴＳＣエンコーダ２０及びエンコーダ２１に供給される。
【００２５】
ＮＴＳＣエンコーダ２０は、デコードされたビデオ信号をＮＴＳＣ方式にアナログ変換した後、アナログ映像音声データＤ３として外部接続されたモニタ及びスピーカ（共に図示せず）に供給する。かくしてモニタにはアナログ映像音声データＤ３に基づく映像が表示される一方、スピーカからはアナログ映像音声データＤ３に基づく音声が出力される。
【００２６】
このようにしてこのビデオテープレコーダ２では、ディジタルビデオ方式での再生モード時、図２について上述したディジタルビデオ方式でＤＶテープ８に記録されたＤＶデータＤ１を再生して出力し得るようになされている。
【００２７】
またディジタル再生処理部１５では、エンコーダ２０は、デコーダ１９においてデコードされたビデオ信号Ｄ３をＭＰＥＧ方式の圧縮処理が施した後、ＤＶデータＤ４としてＳＣＳＩインタフェース回路４を介してハードディスク装置３に送出する。
【００２８】
このハードディスク装置３では、コントローラ５の制御のもと、与えられたＤＶデータＤ４を必要に応じてハードディスク（図示せず）の指定されたアドレス位置に記録させるようになされている。
【００２９】
このときディジタル再生処理部１５は、ＤＶデータＤ４に重畳されているＡＴＦ信号（図示せず）を分離抽出し、これをコントローラ５に送出する。そしてコントローラ５は、このＡＴＦ信号に基づいてモータ制御部１１を介してキャプスタンモータ１３の回転速度を制御するようにしてトラッキング制御する。
【００３０】
また操作入力部１０には、ビデオテープレコーダ２の動作状態（「巻戻し」、「停止」、「１倍速再生（通常再生）」、「変速再生」、「早送り」等）に応じた複数の動作ボタン（図示せず）が設けられ、再生モード時又は編集モード時において、ユーザが指定した動作ボタンを操作すると、対応する動作状態を表す動作選択信号Ｓ３がコントローラ５に与えられる。因みに記録モード時には「停止」に応じた動作ボタンのみ選択し得るようになされている。
【００３１】
コントローラ５は、動作選択信号Ｓ３を表す動作状態に応じてモータ制御部１１を介してキャプスタンモータ１３を回転駆動させることにより、当該動作状態となるようにビデオテープレコーダ２を制御する。これと共に、ビデオテープレコーダ２の動作状態のうち「１倍速再生」又は「変速再生」が選択された場合のみ、モニタ（図示せず）に当該再生状態に応じた画像を表示するようになされている。
【００３２】
この「１倍速再生」は、上述したＮＴＳＣ方式又はＰＡＬ方式の標準モード時におけるＤＶテープ８の走行状態と同じである。また「変速再生」としては、ＤＶテープ８を停止させる「静止画（スチル）再生」、２倍又は３倍の速度でＤＶテープ８を走行させる「２倍又は３倍速再生」、間欠的にＤＶテープ８を走行させる「駒送り（ステップ）再生」、１倍速再生と同じ走行速度で逆方向にＤＶテープ８を走行させる「逆転（リバース）再生」、１倍速再生の数倍〜10数倍の速度でＤＶテープ８を走行させる「早送り（キュー）再生」、早送り再生と同じ速度で逆方向にＤＶテープ８を走行させる「巻戻し（レビュー）再生」があり、それぞれ回転ドラム６の回転速度を「１倍速再生」と同じ状態で、ＤＶテープ８の走行速度及び走行方向を変化させるようにして実行し得るようになされている。
【００３３】
一方、コントローラ５は、モード指定信号Ｓ１に基づいて記録モードが選択された場合、モータ制御部１１を介してドラムモータ１２及びキャプスタンモータ１３を制御することにより、上述のディジタルビデオ方式での再生モード時と同じ回転速度で回転ドラム６を回転させると共に、ディジタルビデオ方式での再生モード時と同じ走行速度でＤＶテープ８（図２（Ａ））を走行させる。
【００３４】
このビデオテープレコーダ２では、コントローラ５はこれと共にディジタル記録処理部２２を制御する。このときディジタル記録処理部２２は、コントローラ５の制御のもとに、ＮＴＳＣデコーダ２３は、入力端子を介して入力されるアナログ映像音声データＤ５に対してディジタル変換した後、これをビデオ信号Ｄ６としてエンコーダ２４に送出する。
【００３５】
エンコーダ２４は、ＮＴＳＣデコーダ２３から得られたビデオ信号Ｄ６をＭＰＥＧ方式の圧縮処理を施した後、エラー訂正回路２５に送出する。このエラー訂正回路２５は、圧縮されたビデオ信号Ｄ６に対してエラー検出やエラー訂正をし、続く変調回路２６を介して変調処理を実行した後、記録増幅回路２７を介してディジタル方式のデータフォーマットのＤＶデータＤ７としてヘッドドライバ１４に送出する。
【００３６】
このヘッドドライバ１４は、このときコントローラ５から得られるスイッチングパルスＳ２に基づいて、供給されるＤＶデータＤ７を、磁気ヘッド７Ａ、７ＢがＤＶテープ８を走査するタイミングでディジタルビデオ方式における２トラック分ずつ各磁気ヘッド７Ａ、７Ｂにそれぞれ順次交互に切り換えながら送出する。
【００３７】
この結果このビデオテープレコーダ２では、ＤＶテープ８上に先行して形成されたトラック９（図２（Ａ））を図示しないフライングイレーズヘッドにより順次消去しながら、当該ＤＶテープ８に対して、各磁気ヘッド７Ａ、７Ｂによってディジタルビデオ方式における２トラック分ずつのＤＶデータＤ７が連続して１つのトラック９として順次記録される。
【００３８】
このようにしてこのビデオテープレコーダ２においては、記録モード時、外部から供給される映像音声データを図２（Ａ）について上述したディジタルビデオ方式でＤＶテープ８に記録し得るようになされている。
【００３９】
かかる構成に加えて、この情報記録再生装置１では、操作入力部１０をユーザが操作入力することによりビデオテープレコーダ２の動作モードとして編集モードが選択されると、これに応じたモード選択信号Ｓ１がコントローラ５に与えられる。
【００４０】
続いてユーザは操作入力部１０を操作入力して、ビデオテープレコーダ２の動作状態のうち「１倍速再生」を表す動作ボタンを選択した場合、当該「１倍速再生」を表す動作選択信号Ｓ３がコントローラ５に与えられる。
【００４１】
これによりコントローラ５は、操作入力部１０から与えられた動作選択信号Ｓ３に応じて、モータ制御部１１を介してキャプスタンモータ１３を回転駆動させることにより、ＤＶテープ８を「１倍速再生」に応じた走行速度となるように制御する。
【００４２】
これと共にコントローラ５は、ＤＶデータＤ４の記録開始を表す制御信号Ｓ４をＳＣＳＩインタフェース回路を介してハードディスク装置３に送出する。
【００４３】
このようにしてコントローラ５は、ビデオテープレコーダ２内のディジタル再生処理部１５について上述した再生モード時と同じ再生処理を実行することにより、当該ディジタル再生処理部１５からＳＣＳＩインタフェース回路４を介してＤＶデータＤ４をハードディスク装置３に送出させる。
【００４４】
このときハードディスク装置３は、コントローラ５から記録開始を表す制御信号Ｓ４を受けている間のみ、ディジタル再生処理部１５から得られたＤＶデータＤ４をハードディスクの指定されたアドレス位置に記録する。
【００４５】
これに対して編集モード時において、ユーザが操作入力部１０を操作入力して、ビデオテープレコーダ２の動作状態のうち「１倍速再生」以外の動作状態（例えば「変速再生」のうちの「早送り（キュー）再生」）を表す動作ボタンを選択した場合、その旨を表す動作選択信号Ｓ３がコントローラ５に与えられる。
【００４６】
これによりコントローラ５は、操作入力部１０から与えられた動作選択信号Ｓ３に応じて、モータ制御部１１を介してキャプスタンモータ１３を回転駆動させることにより、ＤＶテープ８を「早送り（キュー）再生」又は「２倍又は３倍速再生」に応じた走行速度（すなわち「１倍速再生」の走行速度に対して数倍〜10数倍の走行速度）となるように制御する。
【００４７】
これと共にコントローラ５は、ＤＶデータＤ４の記録禁止を表す制御信号Ｓ４をＳＣＳＩインタフェース回路を介してハードディスク装置３に送出する。
【００４８】
このようにしてコントローラ５は、ビデオテープレコーダ２内のディジタル再生処理部１５について、上述した再生モード時よりもＤＶテープ８の走行速度を数倍〜10数倍に速めて再生処理を実行することにより、当該ディジタル再生処理部１５からＳＣＳＩインタフェース回路４を介してＤＶデータＤ４をハードディスク装置３に送出させる。
【００４９】
このときハードディスク装置３は、コントローラ５から記録禁止を表す制御信号Ｓ４を受けている間には、ディジタル再生処理部１５から得られたＤＶデータＤ４をハードディスクに記録しない。
【００５０】
このように情報記録再生装置１において、編集モード時に、ユーザが操作入力部１０を用いて、ビデオテープレコーダ２の動作状態のうち「１倍速再生」を表す動作状態を選択している間のみ、ハードディスク装置３内のハードディスクに、ビデオテープレコーダ２内のディジタル再生処理部１５から得られるＤＶデータＤ４を記録し得るようになされている。
【００５１】
具体的に、ビデオテープレコーダ２内に装填されたＤＶテープ８に、図３（Ａ）に示すような時刻「00:00 」から時刻「10:00 」までの10時間分のＤＶデータＤ４が記録されている場合において、上述した編集モード時に、このＤＶテープ８に記録されている全てのＤＶデータＤ４のうち編集時に必要な映像音声部分を「１倍速再生」で再生する一方、編集時に不要な映像音声部分を「早送り（キュー）再生」又は「２倍又は３倍速再生」で再生する。
【００５２】
これによりユーザの指定に応じて、時刻「03:11 」から時刻「05:20 」までの２時間９分の間、及び時刻「07:30 」から時刻「08:00 」までの30分の間を「早送り（キュー）再生」で再生し、それ以外の時間を全て「１倍速再生」で再生したとき、図３（Ｂ）に示すように「早送り（キュー）再生」又は「２倍又は３倍速再生」による再生中（図の斜線部分）にはハードディスク装置３はハードディスクに記録しない。
【００５３】
この結果、ハードディスク装置３は、図３（Ｃ）に示すように、「早送り（キュー）再生」又は「２倍又は３倍速再生」している間に供給されたＤＶデータＤ４をカットすると共に、「１倍速再生」している間に供給されたＤＶデータＤ４のみを時系列的に繋ぎ合わせてハードディスクに記録する（以下、これを抽出ＤＶデータと呼ぶ）。
【００５４】
この後、ユーザは操作入力部１０を用いて、上述のようにハードディスクに記録された抽出ＤＶデータに対して、必要に応じてノンリニア編集を行い得るようになされている。実際にユーザが操作入力部１０を用いてノンリニア編集を行う際、まずコントローラ５は、ハードディスク装置３を制御してハードディスクに記録されている抽出ＤＶデータを読み出してモニタ（図示せず）に表示させる。
【００５５】
続いてユーザはモニタに表示された抽出ＤＶデータに基づく映像を目視しながら、操作入力部１０を操作してイン点及びアウト点を指定すると、モニタ上の所定位置に表示された編集リスト画面（図示せず）には、当該イン点のフレーム画像及びタイムコードとアウト点のフレーム画像及びタイムコードとが表示される。
【００５６】
このイン点からアウト点までをクリップとして時系列的に繋ぎ合わせた後、得られたＤＶデータ（以下、これを編集ＤＶデータと呼ぶ）Ｄ８を、ビデオテープレコーダ２内のディジタル記録処理部２２を介して上述した記録モードと同じ記録処理を実行することにより、ビデオテープレコーダ２内に新たに装填されたＤＶテープ８に記録し得るようになされている。
【００５７】
（１−２）編集モード処理手順ＲＴ１
実際にこの情報記録再生装置１では、コントローラ５は操作入力部１０を用いたユーザの入力操作に応じて、図３に示すような編集モード処理手順ＲＴ１を実行することにより、ビデオテープレコーダ２内のＤＶテープ８に記録されたＤＶデータＤ１のうち「１倍速再生」で再生されたＤＶデータを繋ぎ合わせて、これを抽出ＤＶデータとしてハードディスク装置３内のハードディスクに記録することができる。
【００５８】
まずコントローラ５は、編集モード処理手順ＲＴ１をステップＳＰ０から入ると、ステップＳＰ１において操作入力部１０を用いてユーザが操作入力されるまで待った後、ステップＳＰ２に進む。
【００５９】
このステップＳＰ２において、コントローラ５は、ビデオテープレコーダ２の動作状態のうち「１倍速再生」が選択されたか否かを判断した後、肯定結果が得られると、このことは現在再生されているＤＶデータＤ１に基づく映像が編集時に必要な映像音声部分であることを表しており、このときコントローラ５はステップＳＰ３に進んで、ビデオテープレコーダ２を制御してビデオテープ８からＤＶデータＤ１の再生を開始する。
【００６０】
次いでコントローラ５は、ステップＳＰ４に進んで、「１倍速再生」が選択されている間のみ、ハードディスク装置３を制御してビデオテープレコーダ２から得られたＤＶデータＤ４をハードディスクに記録し続けた後、ステップＳＰ７に進む。
【００６１】
これに対してステップＳＰ２において否定結果が得られると、このことはビデオテープレコーダ２の動作状態のうち「１倍速再生」以外の動作状態（例えば「変速再生」のうちの「早送り（キュー）再生」又は「２倍又は３倍速再生」）が選択されたこと、すなわち現在再生されているＤＶデータに基づく映像が編集時に不要な映像音声部分であることを表しており、このときコントローラ５はステップＳＰ５に進んで、ハードディスク装置３を制御してハードディスクに対して記録動作を禁止させる。
【００６２】
次いでコントローラ５は、ステップＳＰ６に進んで、対応する動作状態（「早送り（キュー）再生」又は「２倍又は３倍速再生」）の処理を実行した後、ステップＳＰ７に進む。
【００６３】
このステップＳＰ７において、コントローラ５は、ＤＶテープ８がテープエンドであるか否かを判断した後、肯定結果が得られたときにはそのままステップＳＰ８に進んで当該編集モード処理手順ＲＴ１を終了する。
【００６４】
これに対してステップＳＰ７において否定結果が得られると、このことは未だＤＶテープ８にＤＶデータＤ１が記録されていることを表しており、このときコントローラ５は、再度ステップＳＰ１に戻って上述したステップＳＰ１−ＳＰ２−ＳＰ３−ＳＰ４−ＳＰ７又はステップＳＰ１−ＳＰ２−ＳＰ５−ＳＰ６−ＳＰ７を、当該ステップＳＰ７において肯定結果が得られるまで繰り返す。
【００６５】
この結果、ハードディスク装置３は、ビデオテープレコーダ２のＤＶテープ８に記録されているＤＶデータＤ１のうち、ユーザが編集時に必要とする映像音声部分のみを繋ぎ合わせた抽出ＤＶデータをハードディスクに記録することができる。
【００６６】
（１−３）第１の実施の形態の動作及び効果
以上の構成において、この情報記録再生装置１では、編集モード時にビデオテープレコーダ２からハードディスク装置３にＤＶデータＤ１を取り込ませる場合、コントローラ５は、ビデオテープレコーダ２を制御することにより、ＤＶテープ８に記録されているＤＶデータＤ１のうち、ユーザが編集時に必要とする映像音声部分を「１倍速再生」で再生させる一方、編集時に不要とする映像音声部分を「１倍速再生」以外の動作状態（「変速再生」のうちの「早送り（キュー）再生」又は「２倍又は３倍速再生」）で再生させる。
【００６７】
このときコントローラ５は、ビデオテープレコーダ２の動作状態を「１倍速再生」で制御している間のみ、ハードディスク装置３に対してＤＶデータＤ１（Ｄ４）の記録を開始させる一方、当該「１倍速再生」以外の動作状態で制御している間には、ハードディスク装置３に対してＤＶデータＤ１（Ｄ４）の記録を禁止させることにより、当該「１倍速再生」で再生したＤＶデータのみを繋ぎ合わせてハードディスクに記録させることができる。
【００６８】
実際上、ＤＶテープ８に記録されているＤＶデータＤ１をハードディスクにダビングする場合、ユーザはモニタに表示されたＤＶデータＤ３に基づく映像音声を始めから順番に目視する。このときユーザが編集時に不要な映像音声部分は早送りして飛ばし、編集時に必要な映像音声部分まで飛ばし過ぎると再度その映像音声部分まで戻って目視するようになされている。
【００６９】
このようなユーザの使用態様に基づいて、ＤＶテープ８に記録されたＤＶデータＤ１をハードディスクにダビングする際に、ユーザがＤＶデータＤ１に基づく映像音声を目視確認しながら、編集時に必要な映像音声部分のみを指定することにより、ハードディスク装置３では当該必要な映像音声部分のみを繋ぎ合わせて効率良くハードディスクに記録することができる。
【００７０】
従ってユーザはハードディスクに記録されている抽出ＤＶデータをそのままビデオテープレコーダ２内に新たに装填されたＤＶテープ８に記録させることができる。またユーザはハードディスクに記録されている抽出ＤＶデータに対して、必要に応じてノンリニア編集を行うことにより編集ＤＶデータＤ８を得た後、当該編集ＤＶデータＤ８をビデオテープレコーダ２内に新たに装填されたＤＶテープ８に記録させることができる。
【００７１】
以上の構成によれば、この情報記録再生装置１では、編集モード時にビデオテープレコーダ２からハードディスク装置３にＤＶデータＤ１を取り込ませる場合、ＤＶテープ８に記録されているＤＶデータＤ１に基づく映像音声のうちユーザが編集時に必要とする映像音声部分のみを「１倍速再生」で再生させながら、当該「１倍速再生」の再生中のみハードディスクに記録させるようにしたことにより、ビデオテープレコーダ２からハードディスク装置３に全てのＤＶデータＤ１を取り込ませる場合と比べて格段と編集時間を短縮することができ、かくして編集効率を格段と向上し得る情報記録再生装置１を実現できる。
【００７２】
（２）第２の実施の形態
（２−１）ハードディスクユニットの構成
図５は、本発明を適用したハードディスクユニット３０を示し、外部に設けられたビデオテープレコーダ３１がＩＥＥＥ（The Institute of Electrical and Electronic Engineers）１３９４バス３２を介して当該ハードディスクユニット３０内のＩＥＥＥ１３９４インタフェース回路３３と接続されている。
【００７３】
この外部接続されたビデオテープレコーダ３１は、コントローラ及び操作入力部（共に図示せず）が設けられている点を除いて第１の実施の形態によるビデオテープレコーダ２と同様に構成されている。
【００７４】
またハードディスクユニット３０は、ＩＥＥＥ１３９４インタフェース回路３３を介してハードディスク装置３４が接続され、コントローラ３５の制御に応じて、ビデオテープレコーダ３１との間でＤＶデータＤ１０の送受を行い得るようになされている。
【００７５】
このハードディスクユニット３０において、ハードディスク装置３４は、外部のビデオテープレコーダ３１から当該ビデオテープレコーダ３１の動作モード（記録モード、再生モード又は編集モード）及び動作状態（「１倍速再生」や「変速再生」等）を表すステータスデータＤ１１をＤＶデータＤ１０と共に受けるようになされている。
【００７６】
このようにハードディスクユニット３０において、編集モード時に、ユーザの操作によってビデオテープレコーダ３１が「１倍速再生」でＤＶデータＤ１０を再生している間にはハードディスク装置３４に対して記録開始を表す制御信号Ｓ１０を送出する一方、ビデオテープレコーダ３１が「早送り（キュー）再生」又は「２倍又は３倍速再生」でＤＶデータＤ１０を再生している間にはハードディスク装置３４に対して記録禁止を表す制御信号Ｓ１０を送出する。
【００７７】
これによりハードディスク装置３４は、「早送り（キュー）再生」又は「２倍又は３倍速再生」している間に供給されたＤＶデータＤ１０をカットすると共に、「１倍速再生」している間に供給されたＤＶデータＤ１０のみを時系列的に繋ぎ合わせて抽出ＤＶデータとしてハードディスクに記録する。
【００７８】
（２−２）第２の実施の形態の動作及び効果
以上の構成において、このハードディスクユニット３０では、編集モード時に外部のビデオテープレコーダ３１からＩＥＥＥ１３９４バス３２を介してハードディスク装置３４にＤＶデータＤ１０を取り込ませる場合、コントローラ３５は、ユーザの操作に応じてビデオテープレコーダ３１からＤＶデータＤ１０及びステータスデータＤ１１を受けると、当該ステータスデータＤ１１が「１倍速再生」を表す場合にはＤＶデータＤ１０に基づく映像音声がユーザが編集時に必要とする映像音声部分であると判断する一方、当該ステータスデータＤ１１が「１倍速再生」以外の動作状態（「変速再生」のうちの「早送り（キュー）再生」又は「２倍又は３倍速再生」）を表す場合にはＤＶデータＤ１０に基づく映像音声がユーザが編集時に不要とする映像音声部分であると判断する。
【００７９】
この結果、コントローラ３５は、当該ステータスデータＤ１１が「１倍速再生」を表す場合にはハードディスク装置３４に対してＤＶデータＤ１０の記録を開始させる一方、当該「１倍速再生」以外の動作状態を表す場合には、ハードディスク装置３４に対してＤＶデータＤ１０の記録を禁止させる。
【００８０】
従ってコントローラ３５は、ビデオテープレコーダ３１において「１倍速再生」で再生されたＤＶデータＤ１０のみを繋ぎ合わせてハードディスク装置３４内のハードディスクに記録させることができ、かくして第１の実施の形態の場合と同様の効果を得ることができる。
【００８１】
以上の構成によれば、このハードディスクユニット３０では、編集モード時にビデオテープレコーダ３１からＩＥＥＥ１３９４バス３２を介してハードディスク装置３４にＤＶデータＤ１０を取り込ませる場合、ＤＶテープ８に記録されているＤＶデータＤ１０に基づく映像音声のうちユーザが編集時に必要とする映像音声部分のみを「１倍速再生」で再生させながら、当該「１倍速再生」の再生中のみハードディスクに記録させるようにしたことにより、外部のビデオテープレコーダ３１からハードディスク装置３４に全てのＤＶデータＤ１０を取り込ませる場合と比べて格段と編集時間を短縮することができ、かくして編集効率を格段と向上し得るハードディスクユニット３０を実現できる。
【００８２】
（３）他の実施の形態
なお第１の実施の形態においては、本発明による情報記録再生装置を、図１に示すように再生手段としてのビデオテープレコーダ２及び記録手段としてのハードディスク装置３が制御手段としてのコントローラ５の制御下で一体化されて構成された情報記録再生装置１に適用するようにした場合について述べたが、本発明はこれに限らず、要は、再生手段が第１の記録媒体から映像情報を１倍速再生している場合にのみ、制御手段が記録手段を制御して映像情報を第２の記録媒体に記録させるようになされた情報記録再生装置であれば、この他種々の構成の情報記録再生装置に適用しても良い。
【００８３】
従って第１の実施の形態においては、第１の記録媒体としてＤＶテープ８を適用すると共に、第２の記録媒体としてハードディスク（図示せず）を適用するようにした場合について述べたが、本発明はこれに限らず、第１の記録媒体としては映像情報（この場合ＤＶデータＤ１）を時間軸に沿ってリニアに記録するようになされたテープ状記録媒体やこれ以外の種々の記録媒体に広く適用することができ、また第２の記録媒体としては映像情報のうちユーザが所望する映像部分を所望の順番で繋ぎ合わせてノンリニアに記録するようになされたディスク状記録媒体やこれ以外の種々の記録媒体に適用することができる。
【００８４】
また第２の実施の形態においては、本発明による情報記録装置を、図５に示すように記録手段としてのハードディスク装置３５と制御手段としてのコントローラ３６とから構成されたハードディスクユニット３０を適用するようにした場合について述べたが、本発明はこれに限らず、要は、外部の再生手段から転送されてくる映像情報及び当該映像情報に付随する所定情報に基づいて、再生手段が第１の記録媒体から映像情報を１倍速再生している場合のみ、制御手段が記録手段を制御して映像情報を第２の記録媒体に記録させるようになされた情報記録装置であれば、この他種々の構成の情報記録装置に適用しても良い。
【００８５】
従って第２の実施の形態においても、第１の記録媒体としてＤＶテープ８を適用すると共に、第２の記録媒体としてハードディスク（図示せず）を適用するようにした場合について述べたが、本発明はこれに限らず、第１の記録媒体としては映像情報（この場合ＤＶデータＤ１０）を時間軸に沿ってリニアに記録するようになされたテープ状記録媒体やこれ以外の種々の記録媒体に広く適用することができ、また第２の記録媒体としては映像情報のうちユーザが所望する映像部分を所望の順番で繋ぎ合わせてノンリニアに記録するようになされたディスク状記録媒体やこれ以外の種々の記録媒体に適用することができる。
【００８６】
さらに第２の実施の形態においては、外部のビデオテープレコーダ（再生手段）３１からＤＶデータ（映像情報）Ｄ１０に付随して供給される所定情報として、当該ビデオテープレコーダ３１の再生状態を表すステータスデータ（ステータス情報）Ｄ１１を適用した場合について述べたが、本発明はこれに限らず、要は、ビデオテープレコーダ３１の再生状態を映像情報と共に転送することができる情報であれば、例えば映像情報に付随する音声情報を適用しても良い。
【００８７】
すなわち通常ビデオテープレコーダ３１は、「１倍速再生」で再生している間のみ音声情報も再生する一方、当該「１倍速再生」以外の「変速再生」では音声情報を再生しないため、ハードディスクユニット３０は映像情報に付随して音声情報が転送されている間のみ、ビデオテープレコーダ３１が「１倍速再生」で再生していることを判断することができる。
【００８８】
【発明の効果】
上述のように本発明によれば、第１の記録媒体に記録された映像情報を再生する再生手段と、再生手段により第１の記録媒体から再生された映像情報を第２の記録媒体に記録する記録手段と、映像情報に対する再生操作を受け付ける再生操作手段と、第１の記録媒体に記録された映像情報を１倍速再生する１倍速再生操作を再生操作手段により受け付けると、第１の記録媒体に記録された映像情報を１倍速再生するように再生手段を制御すると共に当該再生手段により１倍速再生された当該映像情報を第２の記録媒体に記録するように記録手段を制御し、第１の記録媒体に記録された映像情報を１倍速再生以外で再生する変速再生操作を再生操作手段により受け付けると、第１の記録媒体に記録された映像情報を変速再生するように再生手段を制御すると共に当該再生手段により変速再生された当該映像情報を第２の記録媒体に記録しないように記録手段を制御する制御手段とを設けたことにより、ユーザに対し、第１の記録媒体に記録されている映像情報を早送り再生や早戻し再生といった変速再生することで記録する部分を探させつつ、記録する部分を見つけたら当該部分を１倍速再生するという簡易な操作を行わせるだけで、映像情報の中で所望の部分のみを繋ぎ合わせて第２の記録媒体に記録することができ、第１の記録媒体に記録されている映像情報を全て第２の記録媒体に記録させてから映像情報の中で所望の部分を繋ぎ合わさせたり、第１の記録媒体に記録されている映像情報の中から記録したい部分を予め探して設定させてからその部分だけを後に第２の記録媒体に記録させたりする場合に比して、編集を容易にすると共に編集時間を短縮することができ、かくして編集効率を格段と向上し得る情報記録再生装置を実現し得る。
【００８９】
また本発明によれば、第１の記録媒体に記録された映像情報に対する再生操作を受け付け、受け付けた再生操作が第１の記録媒体に記録された映像情報を１倍速再生する１倍速再生操作である場合に、第１の記録媒体に記録された映像情報を１倍速再生するように再生手段を制御すると共に当該再生手段により１倍速再生された当該映像情報を第２の記録媒体に記録するように記録手段を制御し、受け付けた再生操作が第１の記録媒体に記録された映像情報を１倍速再生以外で再生する変速再生操作である場合に、第１の記録媒体に記録された映像情報を変速再生するように再生手段を制御すると共に当該再生手段により変速再生された当該映像情報を第２の記録媒体に記録しないように記録手段を制御するようにしたことにより、ユーザに対し、第１の記録媒体に記録されている映像情報を早送り再生や早戻し再生といった変速再生することで記録する部分を探させつつ、記録する部分を見つけたら当該部分を１倍速再生するという簡易な操作を行わせるだけで、映像情報の中で所望の部分のみを繋ぎ合わせて第２の記録媒体に記録することができ、第１の記録媒体に記録されている映像情報を全て第２の記録媒体に記録させてから映像情報の中で所望の部分を繋ぎ合わさせたり、第１の記録媒体に記録されている映像情報の中から記録したい部分を予め探して設定させてからその部分だけを後に第２の記録媒体に記録させたりする場合に比して、編集を容易にすると共に編集時間を短縮することができ、かくして編集効率を格段と向上し得る情報記録再生方法を実現し得る。
【００９０】
さらに本発明によれば、外部の再生装置により第１の記録媒体から再生された映像情報を第２の記録媒体に記録する記録手段と、第１の記録媒体に記録された映像情報を１倍速再生する１倍速再生操作が再生装置に対して行われて当該映像情報が１倍速再生された結果として、第２の記録媒体に対して映像情報を記録するための記録制御信号が、１倍速再生された映像情報とともに再生装置から送信されると、再生装置により１倍速再生された当該映像情報を第２の記録媒体に記録するように記録手段を制御し、第１の記録媒体に記録された映像情報を１倍速再生以外で再生する変速再生操作が再生装置に対して行われて当該映像情報が変速再生された結果として、第２の記録媒体に対する映像情報の記録を禁止するための記録禁止制御信号が、変速再生された映像情報とともに再生装置から送信されると、再生装置により変速再生された当該映像情報を第２の記録媒体に記録しないように記録手段を制御する制御手段とを設けたことにより、ユーザに対し、外部の再生装置において、第１の記録媒体に記録されている映像情報を早送り再生や早戻し再生といった変速再生することで記録する部分を探させつつ、記録する部分を見つけたら当該部分を１倍速再生するという簡易な操作を行わせるだけで、映像情報の中で所望の部分のみを繋ぎ合わせて第２の記録媒体に記録することができ、第１の記録媒体に記録されている映像情報を全て第２の記録媒体に記録させてから映像情報の中で所望の部分を繋ぎ合わさせたり、第１の記録媒体に記録されている映像情報の中から記録したい部分を予め探して設定させてからその部分だけを後に第２の記録媒体に記録させたりする場合に比して、編集を容易にすると共に編集時間を短縮することができ、かくして編集効率を格段と向上し得る情報記録装置を実現し得る。
【図面の簡単な説明】
【図１】第１の実施の形態による情報記録再生装置の構成を示すブロック図である。
【図２】ディジタルビデオ方式での記録フォーマットの説明に供する略線図である。
【図３】ハードディスクの記録状態の説明に供する略線図である。
【図４】編集モード処理手順を示すフローチャートである。
【図５】第２の実施の形態による情報記録装置の構成を示すブロック図である。
【符号の説明】
１……情報記録再生装置、２、３１……ビデオテープレコーダ、３、３４……ハードディスク装置、４……ＳＣＳＩインタフェース回路、５、３５……コントローラ、６……回転ドラム、７Ａ、７Ｂ……磁気ヘッド、８……ＤＶテープ、１０……操作入力部、１１……モータ制御部、１２……ドラムモータ、１３……キャプスタンモータ、１４……ヘッドドライバ、１５……ディジタル再生処理部、２２……ディジタル記録処理部、３０……ハードディスクユニット、３２……ＩＥＥＥ１３９４バス、３３……ＩＥＥＥ１３９４インタフェース回路、ＲＴ１……編集モード処理手順。
【図１】
0004051649.tif 000002
【図２】
0004051649.tif 000003
【図３】
0004051649.tif 000004
【図４】
0004051649.tif 000005
【図５】
0004051649.tif 000006